(57)【要約】【課題】構造を簡素化し、しかも、充填量のばらつきの少ない正確なグリースの充填が行えるようにする。【解決手段】グリース充填装置は、グリースGを貯蔵するための容器10と、容器10内のグリースGを第一ホース14を介して充填シリンダ16へ圧送するためのポンプ12と、第一ホース14と充填シリンダ16との間に設置したバルブ20と、グリースGを噴出させるための充填ノズル50を備えた吐出バルブ48と、充填シリンダ16と吐出バルブ48を接続する第二ホース40と、第二ホース40内を流れるグリースGを加熱するための加熱コイル42とを有し、充填シリンダ16のストロークに基づいてグリースGの吐出量を管理し、ワークWとの間に一定の距離を隔てた充填ノズル50からグリースGを噴出させてワークWに充填する。【選択図】図１
2014043890.tif 000002
【特許請求の範囲】
【請求項１】
グリースを貯蔵する容器と、
前記容器内のグリースを第一ホースを介して充填シリンダへ圧送するためのポンプと、
前記第一ホースと前記充填シリンダとの間に設置したバルブと、
グリースを噴出させるための充填ノズルを備えた吐出バルブと、
前記充填シリンダと前記吐出バルブを接続する第二ホースと、
前記第二ホース内を流れるグリースを加熱するためのヒータと
を有し、前記充填シリンダのストロークに基づいてグリースの吐出量を管理し、ワークとの間に一定の距離を隔てた前記充填ノズルからグリースを噴出させて前記ワークに充填するグリース充填装置。
【請求項２】
前記充填シリンダは、前記第一ホースと接続した圧送シリンダと、前記圧送シリンダを駆動するための駆動シリンダとからなり、前記圧送シリンダと前記駆動シリンダは一本のピストンロッドを共用し、前記ピストンロッドの一方の端部に前記駆動シリンダ内で往復移動可能な第一ピストンを固定し、前記ピストンロッドの他方の端部に前記圧送シリンダ内で往復移動可能な第二ピストンを固定した請求項１のグリース充填装置。
【請求項３】
前記ピストンロッドのストロークを管理するための機構を設け、前記ピストンロッドのストロークに基づいてグリースの充填量を設定するようにした請求項２のグリース充填装置。
【請求項４】
前記吐出バルブの上流側のグリースの温度を測定するために温度センサを設けた請求項１ないし３のいずれか１項のグリース充填装置。
【請求項５】
前記温度センサで測定した温度を前記加熱コイルにフィードバックすることにより、前記吐出バルブの上流側のグリースの温度を前記グリースの滴点未満の温度に設定した請求項４のグリース充填装置。
【請求項６】
グリースの設定温度を２０℃〜８０℃の範囲内とした請求項５のグリース充填装置。
【請求項７】
ポンプにより容器内のグリースを充填シリンダに供給するグリース供給工程と、前記充填シリンダに供給されたグリースを吐出バルブに供給して前記吐出バルブから噴出させる吐出工程とを有し、前記充填シリンダと前記吐出バルブを接続するホース内でグリースを加熱することを特徴とするグリース充填方法。
【請求項８】
前記グリース充填工程において設定するグリースの充填量を、前記充填シリンダのピストンロッドのストロークに基づいて設定する請求項７のグリース充填方法。
【請求項９】
前記グリース充填工程において、グリースの設定温度を前記グリースの滴点未満の温度とした請求項７または８のグリース充填方法。
【請求項１０】
前記グリース充填工程において、グリースの設定温度を２０℃〜８０℃の範囲内とした請求項９のグリース充填方法。
【発明の詳細な説明】
【技術分野】
【０００１】
この発明はグリース充填方法および装置に関するもので、転がり軸受、等速ジョイントその他の機械部品にグリースを充填する場合に利用することができる。
【背景技術】
【０００２】
特許文献１（特開２０１０−２７０７６９）には、転がり軸受に非接触でグリースを充填するためのグリース充填装置が記載してある。そのグリース充填装置は、圧送ポンプ３から圧送されたグリースの圧送力を調整するポンプ圧調整用のレギュレータと、レギュレータによって圧送力が調整されたグリースを充填ヘッド本体に導く接続ホースと、接続ホースから供給されたグリースを充填ノズルに導く充填ヘッド本体と、充填ヘッド本体から供給されたグリースを吐出バルブの開閉動作に伴ってワークの充填個所に向けて吐出する充填ノズルと、吐出バルブの開閉動作を制御するバルブ駆動装置とを具備している。
【０００３】
グリース充填工程において設定するグリースの充填量は、レギュレータによって調整した所定のポンプ圧と、バルブ駆動装置によって制御される吐出バルブの開放時間とで決まる。吐出バルブの開放時間を調整することでグリースの吐出量が設定でき、レギュレータによるポンプ圧の定常化と相俟ってグリースの正確な充填量の設定に寄与している。
グリースの粘度を一時的に低く抑えるため、充填ヘッド本体にはその内部を流れるグリースを所定の温度に加熱するためのヒータおよび温度センサが設けてある。
充填ノズルは、ハウジングと、吐出バルブと、ノズル本体と、アタッチメントとを基本的な構成要素としている。また、ハウジングは、連絡経路と、供給されたグリースを一時貯蔵する貯蔵室とを備えている。
【先行技術文献】
【特許文献】
【０００４】
【特許文献１】特開２０１０−２７０７６９号公報
【発明の概要】
【発明が解決しようとする課題】
【０００５】
特許文献１に記載された従来の技術は、グリースの充填に際して一時的にグリースの粘度を低下させることにより、ワークの充填箇所に、効率よく、正確に、非接触で、グリースを充填でき、ポンプ圧と吐出バルブの開放時間を設定することにより所定量のグリースの充填を安定して管理するものである。
しかながら、次に述べるような問題点がある。すなわち、充填ヘッド本体内にヒータおよび温度センサを設置しなければならないことから高コストである。さらに、充填ノズルの構造が複雑であるため、この面からも高コストとなる。しかも、転がり軸受にグリースを充填する場合のように、グリースの充填量が極少量の場合は、ポンプ圧と吐出バルブの開放時間の設定のみでグリース充填量を管理することが可能であるが、大容量のグリースを充填する場合は、充填ヘッド本体内のグリースを加熱するだけでは足りず、配管経路内のグリース流速のばらつきなどにより、充填量にばらつきが生じる。
【０００６】
この発明は上述の問題点を除去せんとするものである。すなわち、この発明の目的は、とくに充填ノズルの構造を簡素化してコスト低減を図り、しかも、充填量のばらつきの少ない正確なグリースの充填が達成できるグリース充填方法および装置を提供することにある。
【課題を解決するための手段】
【０００７】
この発明のグリース充填装置は、グリースＧを貯蔵する容器１０と、前記容器１０内のグリースＧを第一ホース１４を介して充填シリンダ１６へ圧送するためのポンプ１２と、前記第一ホース１４と前記充填シリンダ１６との間に設置したバルブ２０と、グリースＧを噴出させるための充填ノズル５０を備えた吐出バルブ４８と、前記充填シリンダ１６と前記吐出バルブ４８を接続する第二ホース４０と、前記第二ホース４０内を流れるグリースＧを加熱するためのヒータ４２とを有し、前記充填シリンダ１６のストロークに基づいてグリースＧの吐出量を管理し、ワークＷとの間に一定の距離を隔てた前記充填ノズル５０からグリースＧを噴出させて前記ワークＷに充填するようにしたことを特徴とするものである。
【０００８】
この発明のグリース充填方法は、ポンプ１２により容器１０内のグリースＧを充填シリンダ１６に供給するグリース供給工程と、充填シリンダ１６に供給されたグリースＧを吐出バルブ４８に供給して吐出バルブ４８から噴出させる吐出工程とを有し、充填シリンダ１６と吐出バルブ４８を接続するホース４０内のグリースＧを加熱することを特徴とする。
【発明の効果】
【０００９】
この発明によれば、充填ノズル５０から離れたところにあるワークＷの所定箇所に、正確に、しかも効率よく、大容量のグリースＧを所定量充填することが可能になる。
充填ノズル５０にグリースＧを導くための第二ホース４０にヒータ４２を取り付けただけの比較的簡単な構造の加熱手段を採用して、グリースＧの粘度を充填ノズル５０の上流側において一時的に低く抑えるようにしたため、複雑な構造の充填ヘッドを用いる必要がなく、低コストで製造することができる。とくに、吐出バルブ４８および充填ノズル５０には市販の汎用品を利用することができる。
【００１０】
また、グリース吐出量を充填シリンダ１６のストロークに基づいて管理するようにしたため、ヒータ４２で第二ホース４０内のグリースＧを加熱するようにしたことと相俟って、大容量のグリースＧを充填する場合でも、配管経路内のグリース流速のばらつきなどに起因する充填量のばらつきが少なく、高い充填量精度が得られる。したがって、従来と比較して大容量のグリースを正確に充填することが可能になる。
【図面の簡単な説明】
【００１１】
【図１】グリース充填装置の全体構造を示す一部を断面にした立面図である。
【図２】ワークが等速ジョイント外輪である場合のグリース充填時における充填ノズルとワークの位置関係を示す一部を断面にした立面図である。
【図３】ワークが等速ジョイントのブーツである場合のグリース充填時における充填ノズルとワークの位置関係を示す一部を断面にした立面図である。
【図４】時間管理によるグリース充填量の測定結果を示す線図である。
【図５】ストローク管理によるグリース充填量の測定結果を示す線図である。
【発明を実施するための形態】
【００１２】
以下、この発明の実施の形態を図面に従って詳細に説明する。ここでは等速ジョイントにグリースを充填する場合を例にとって説明することとする。
【００１３】
全体構造
図１にグリース充填装置の全体構成を示す。このグリース充填装置は、ペール缶、ドラム缶その他の容器１０内のグリースＧをワークＷに自動的に充填するための装置であって、ポンプ１２により、容器１０内のグリースＧをホース１４を介して充填シリンダ１６の圧送シリンダ１８に圧送し、また、充填シリンダ１６の圧送シリンダ１８からホース４０を介して吐出バルブ４８にグリースＧを圧送し、吐出バルブ４８からワークＷに向けてグリースＧを噴出させるようになっている。次に、各構成要素ごとに詳しく説明する。
【００１４】
ポンプ１２
ポンプ１２は、容器１０内のグリースＧ、あるいは図示しない集中配管から供給されるグリースＧを吸い込み、ホース１４を介してバルブ２０に向けて圧送する役割を果たす。そのような機能を持つものである限りポンプの機種やタイプは問わない。たとえば容積式でも非容積式でもよい。ここでは、容器１０とポンプ１２は移動式の架台に設置し、下部に容器１０、上部にポンプ１２を配置した場合を例示する。
【００１５】
充填シリンダ１６（圧送シリンダ１８、駆動シリンダ２４）
全体を符号１６で概括的に示してある充填シリンダは、圧送シリンダ１８と駆動シリンダ２４とで構成され、駆動シリンダ２４は圧送シリンダ１８の駆動部となる。より詳しく述べるならば、圧送シリンダ１８と駆動シリンダ２４は一本のピストンロッド２６を共用し、ピストンロッド２６の一方の端部に駆動シリンダ２４内で往復移動する第一ピストン２５が、ピストンロッド２６の他方の端部に駆動シリンダ２４内で往復移動する第二ピストン２７が、それぞれ固定してある。そして、第一ピストン２５よりも第二ピストン２７を大径とすることにより、いわゆるエアオイルブースタが構成される。すなわち、駆動シリンダ２４の下部室にエアを供給すると、第二ピストン２５が上昇し、それと同時に第一ピストン２７も上昇する。このとき、第一ピストン２５と第二ピストン２７の受圧面積の差に基づき、第二ピストン２７は第一ピストン２５に作用するエア圧の割に大きな力を発生させることができる。駆動シリンダ２４にエアを供給するためにバルブ２８とレギュレータ３０が取り付けてある。バルブ２８は、たとえば開閉を電気的に制御するようにした電磁弁を採用することができる。レギュレータ３０は、バルブ２８から駆動シリンダ２４に供給されるエア圧を変更するためのものである。なお、図１では、容器１０やポンプ１２はキャスタ付きのフレームに設置して可動式とし、一方、充填シリンダ１６は定置式とした場合が例示してあるが、可動式とするか定置式とするかは状況に応じて適宜選択することができる。
【００１６】
充填シリンダ１６にはピストンロッド２６のストロークを管理するためのストローク測定センサが設けてある。図１に例示したのはスケールセンサ３２である。ピストンロッド２５と接続し、かつ、駆動シリンダ２４外に突出したロッド３４にスケールセンサ３２が取り付けてある。スケールセンサ３２の位置をその前面に配置したスケール３６で読み取り、吐出中のピストンロッド２６のストロークを測定し、ロッド３４があらかじめ設定した任意の上ストロークエンドに達した時点で、吐出バルブ４８を閉じるべき旨の信号を図示しないシーケンサ（制御装置）に出力するように設定する。このようにしてピストンロッド２６のストロークを管理することによって充填量が設定される。図１の場合、ピストンロッド２６の上下のストロークエンドに対応する位置にそれぞれ近接スイッチ３８ａ、３８ｂが設置してある。近接スイッチに代えて光電素子その他の同等のセンサを採用してもよい。
【００１７】
バルブ２０
ホース１４と圧送シリンダ１８との間、つまり圧送シリンダ１８の入り口ポートに、バルブ２０が取り付けてある。このバルブ２０は、圧送シリンダ１８からグリースＧが逆流するのを防止する役割を果たすもので、ポンプ１２から圧送されてきたグリースＧが圧送シリンダ１８内に充満すると閉じ、１回の充填サイクルが完了するまで閉じた状態を保つ。このバルブ２０の閉操作は、シーケンサを介して、ロッド２６が上ストロークエンドに達したことを検知した近接スイッチ３８ｂからの信号に応答してなされる。
【００１８】
充填サイクルの開始時、圧送シリンダ１８内にグリースＧが充填され始めると、ピストンロッド２６が下降し、第二ピストン２７が圧送シリンダ１８の下端まで下降する（図１はこの状態を示している）。次に、バルブ２８が開いて駆動シリンダ２４にエアが供給されると、ピストンロッド２６が上昇し、それと共に第二ピストン２７が上昇して圧送シリンダ１８内のグリースＧを押し上げ、ホース４０へ押し出す。このとき、グリースＧの逆流はバルブ２０によって防止されることはすでに述べたとおりである。また、レギュレータ３０を操作して駆動シリンダ２４に供給されるエア圧を変更することにより、充填ノズル５０からのグリースＧの噴出速度を変更することが可能である。
【００１９】
ホース４０
ホース４０は圧送シリンダ１８と吐出バルブ４８を接続するためのもので、ある程度可撓性を備えた材料で構成され、長さは一例として１〜６ｍ程度である。ホース４０にはヒータ４２が設けてあり、ボース４０の内部のグリースＧを加熱するようになっている。ヒータ４２は、たとえばホース４０の周囲に巻き付けた加熱コイル（電熱線をらせん状に巻いたもの）の形態をとることができる。もちろん、赤外線ヒータ、熱風機その他の既存の加熱装置を採用してもよい。ヒータ４２によるグリース加熱温度は一例を挙げるならば４０℃±１℃である。この程度の温度までグリースＧを加熱することにより、グリースの粘度が低下して流動抵抗が少なくなるため、充填ノズル１３からワークＷに向けてグリースＧを噴出させ、ワークＷに対して非接触で円滑なグリースＧの充填を実行することができる。
【００２０】
温度測定部４４
温度測定部４４は吐出バルブ１２の上流側に配置してあり、この位置におけるホース４０内のグリースＧの実際の温度を計測するための温度センサ１０が設けてある。そして、上に述べた例に従えば、ヒータ４２による加熱作用によって充填ノズル５０から噴出するグリースＧの温度は約４０℃に設定される。このグリースＧの温度は、グリースＧ中の潤滑油成分（基油）が分離しない約２０℃〜８０℃の範囲内で、グリースＧの特性に合わせて適宜、変更することが可能である。そのために、温度センサ１０からの信号に基づいてヒータ４２の設定加熱温度を変更できるようにしておくのが好ましい。
【００２１】
ここで、ヒータによる加熱はグリースＧの粘度を下げて流動抵抗を低下させるためであって、基油が分離するほど加熱する必要はない。したがって、基油が分離する温度を上限とする。基油が分離する温度はグリースによって区々であるが、一つの目安として滴点（ＪＩＳ Ｋ ２２２０）を採用することができる。滴点とは、グリースを規定の容器で加熱し、グリースが高温で液状になり油分が滴下しはじめる温度で、最も低いとされるＣａ系セッケングリースの場合で約８０〜１００℃である。
【００２２】
吐出バルブ４８
吐出バルブ４８としては、一例として、バルブ駆動装置５２としてソレノイドバルブを備えたボールバルブを用いることができる。吐出バルブ４８の出口には充填ノズル５０が取り付けてある。充填ノズル５０の一例としては一般的な直進ノズルを挙げることができる。充填ノズル５０の出口径は、グリースＧの充填サイクルに合わせて、約１ｍｍ〜２０ｍｍの範囲内で適宜、変更することが可能である。充填ノズル５０とワークＷとの間隔は、ワークＷの大きさ等に応じて適宜、変更可能であり、一例として０．５ｍｍ〜１０００ｍｍの広い範囲で調整可能に構成するのが好ましい。たとえば、ホース４０の長さや屈曲等で対応する。
【００２３】
充填ノズル５０の向きは、ホース４０の可撓性を利用して任意に変更することができる。ちなみに、図１、図２は下向き、図３は上向きの例を示している。すなわち、図１、図２に示すように、下向きにした充填ノズル５０の下方にワークＷとして等速ジョイントの外輪５４をその開口端部を上に向けて配置し、充填ノズル５０からグリースＧを下向きに噴出させて充填を行う。また、図３に示すように、上向きにした充填ノズル５０の上方にワークＷ’として等速ジョイントのブーツ６２をその大径側の開口端部を下に向けて配置し、充填ノズル５０からグリースＧを上向きに噴出させて充填を行う。このようにしてグリース充填を終えた後、シャフト６０の端部に固定したトリポード５６とその脚軸に担持されたローラ５８を含むインナ・サブ・アセンブリを外輪５４内にその開口端部から挿入し、外輪５４の開口端部にブーツ６２の大径側の開口端部を被せてブーツバンド５８で締め付ける。これにより、当該等速ジョイントの組立てが完了する。ここでは等速ジョイントとしてトリポード型等速ジョイントが示してあるが、その他のタイプの等速ジョイントであってもグリース充填操作に関する限り基本的に同様である。
【００２４】
図３のように上向きにグリースを噴出させる場合、従来の技術では、封入直後にグリースが垂れ、ワークＷ’からこぼれ落ちるという問題があったが、グリース吐出量をピストンロッド２６のストロークに基づいて管理することにより高い充填量精度が得られることとなり、上記問題は解消した。また、高い充填量精度が得られることから、吐出バルブ４８および充填ノズル５０には汎用品を用いることができ、複雑な構造をした充填ヘッドが不要となり、さらに、ヘッド内を加熱するためのヒータも不要となるため、従来と比較してコスト低減が実現する。そのような簡素化された構造のバルブの一例として、フローテック株式会社から上市されている高頻度対応自動高圧ボールバルブ（ＢＫＨＤ−１／２ＰＴ−４４２９／ＤＡ６０）を挙げることができる。
【００２５】
上述の構成からなるグリースの充填装置を使用することによって実行されるグリース充填方法について次に説明する。
【００２６】
（Ａ）グリース供給工程
グリース供給工程は、ポンプ１２により容器１０内のグリースＧを圧送シリンダ１８内に供給する工程である。この工程では、まずバルブ２０が開く。すなわち、図示しないシーケンサからの開出力信号に応答してエアバルブが開き、エアが供給される結果、バルブ２０が開く。バルブ２０が開くことによって、圧送シリンダ１８内にグリースＧが供給され、供給されたグリースＧによってピストンロッド２６が押し下げられる。ピストンロッド２６が下降すると、ロッド３４を介してスケールセンサ３２も下降し、下ストロークエンドに達したことをセンサ３８が検知すると、ポンプ１２とバルブ２０に信号を出力し、グリースＧの圧送を止めるとともに、バルブ２０を閉じる。
【００２７】
（Ｂ）グリース吐出工程
グリース吐出工程では、シーケンサからの開出力信号に応答して吐出バルブ４８が開く。同様に、シーケンサからの開出力信号に応答してバルブ２８が開く。つまり、この工程は、バルブ２８および吐出バルブ４８を開いてピストンロッド２６、第一ピストン２５、第二ピストン２７を上昇させることにより、圧送シリンダ１８内のグリースＧを押し出し、充填ノズル５０から一挙に噴出させる工程である。同時に、そのグリースＧをワークＷに充填する工程でもある。このとき、ピストンロッド２６のストロークを管理することにより、１回のグリースＧの吐出量すなわち充填量を設定することができる。すでに述べたとおり、ピストンロッド２６のストロークの管理には、一例として、ストローク測定センサとしてスケールセンサ３２を用いることができる。ピストンロッド２６と接続した、シリンダ外に設置してあるロッド３４に取り付けたスケールセンサ３２により、その前面のスケール３６を読み取り、吐出中のピストンロッド２６のストロークを測定し、ロッド３４があらかじめ設定した任意の上ストロークエンドに達した時点で、吐出バルブ４８を閉じるべき旨の信号を外部に出力する。このようにして充填量が設定される。
【００２８】
（Ｃ）グリース加熱工程
グリース加熱工程は、グリース吐出工程の前段に位置し、グリースＧを所定温度に加熱する工程である。この工程では、ヒータ４２と温度センサ４６を使用して、ホース４０内のグリースＧを所定の温度まで加熱する。温度センサ４６でホース４０内のグリースＧの実際の温度を計測し、その計測結果をフィードバックしてヒータ４２のＯＮ、ＯＦＦ等の制御を実行する。
【００２９】
次に、実施の形態の効果を試すために行った試験の内容と結果について説明する。この試験では、ワークＷとして等速ジョイントの外輪（図２）を使用し、グリースＧの充填を実施した。なお、ポンプ圧力は０．３ＭＰａ、グリース吐出圧力は５．０ＭＰａ、ホース４０内の加熱温度は温度調節器を使用して４０℃±１℃に設定した。温度調節器としては、ホース内４０のグリースＧの温度を計測する温度センサ４６からの出力信号を受けて、測定温度が設定温度になるように加熱コイル４２をフィードバック制御する構成のものを採用した。
【００３０】
グリース吐出量を吐出バルブ４８の開放時間に基づいて管理した場合の結果を図４に示す。目標封入量３０ｇで、３０回、試験を行なった結果である。また、グリース吐出量をピストンロッド２６のストロークに基づいて管理した場合の結果を図５に示す。目標封入量１５ｇ、１００ｇ、１５０ｇで、それぞれ３０回、試験を行なった結果である。図４、図５とも、縦軸はグリースＧの充填量すなわち精密電子秤で計測した計測値（ｇ）、横軸は回数を表している。
【００３１】
図４から分かるように、グリース吐出量を吐出バルブ４８の開放時間に基づいて管理した場合、グリースＧの充填量（計測値）は平均２８．６５ｇとなり、ばらつきは±１０．８１ｇとなった。
図５から分かるように、グリース吐出量をピストンロッド２６のストロークに基づいて管理した場合、グリース充填量（計測値）はそれぞれ平均１５．６１ｇ、１００．５０ｇ、１５０．７６ｇで、ばらつきはそれぞれ０．７２ｇ、０．９９ｇ、０．７６ｇとなった。
両者を対比すれば明らかなように、グリース吐出量を吐出バルブ４８の開放時間に基づいて管理した場合よりも、グリース吐出量をピストンロッド２６のストロークに基づいて管理した場合のほうが、高い充填量精度が得られた。特許文献１に関連して述べたとおり、吐出バルブ４８の開放時間の設定のみでの充填量の管理では、配管経路内のグリース流速のばらつきなどにより、充填量にばらつきが生じたものと推測される。
【００３２】
以上、この発明の実施の形態について説明したが、この発明は上記実施の形態に限定されることなく、特許請求の範囲に悖ることなく種々の改変が可能である。
【符号の説明】
【００３３】
１０  容器
１２  ポンプ
１４  ホース
１６  充填シリンダ
１８  圧送シリンダ
２０  バルブ
２２  圧力センサ
２４  駆動シリンダ
２６  ピストンロッド
２８  バルブ
３０  レギュレータ
３２  スケールセンサ
３４  ロッド
３６  スケール
３８ａ、３８ｂ  近接スイッチ
４０  ホース
４２  加熱コイル
４４  温度測定部
４６  温度センサ
４８  吐出バルブ
５０  充填ノズル
５２  バルブ駆動装置
５４  外輪
５６  トリポード
５８  ローラ
６０  シャフト
６２  ブーツ
６４  ブーツバンド
Ａ  圧縮エア
Ｇ  グリース
Ｗ、Ｗ’  ワーク
【図１】
2014043890.tif 000003
【図２】
2014043890.tif 000004
【図３】
2014043890.tif 000005
【図４】
2014043890.tif 000006
【図５】
2014043890.tif 000007